(57)【要約】【課題】  打栓後に栓が浮き上がるというトラブルを解消する樹脂製の栓を提供しようとする。【解決手段】  ビン口内壁に嵌合する嵌合壁を有する筒状の胴部と、該胴部の上部に被冠する円盤部とを含んでなる栓であって、前記嵌合壁の、前記ビン口内壁との嵌めあいが打栓された状態で最もきつくなる部位の肉厚ｔｗ（ｍｍ）が、該部位における前記嵌合壁の外径をＲ（ｍｍ）としたとき、０．０９・√Ｒ≦ｔｗ≦０．４５・√Ｒである栓であり、また、前記嵌合壁の、前記ビン口内壁との嵌めあいが打栓された状態で最もきつくなる部位の肉厚ｔｗが、０．４〜２ｍｍである栓である。【選択図】  図２
2006315769.tif 000002
【特許請求の範囲】
【請求項１】
ビン口内壁に嵌合する嵌合壁を有する筒状の胴部と、該胴部の上部に被冠する円盤部とを含んでなる栓であって、前記嵌合壁の、前記ビン口内壁との嵌めあいが打栓された状態で最もきつくなる部位の肉厚ｔｗ（ｍｍ）が、該部位における前記嵌合壁の外径をＲ（ｍｍ）としたとき、０．０９・√Ｒ≦ｔｗ≦０．４５・√Ｒである栓。
【請求項２】
ビン口内壁に嵌合する嵌合壁を有する筒状の胴部と、該胴部の上部に被冠する円盤部とを含んでなる栓であって、前記嵌合壁の、前記ビン口内壁との嵌めあいが打栓された状態で最もきつくなる部位の肉厚ｔｗが、０．４〜２ｍｍである栓。
【請求項３】
１．８リットルビンに適用される請求項２に記載の栓。
【発明の詳細な説明】
【技術分野】
【０００１】
本発明は樹脂製の栓に関する。
【背景技術】
【０００２】
樹脂製の栓は、特に１．８リットルビンの場合など、ビン詰め直後の打栓後、あるいは、開封後の再打栓後に栓が浮き上がるという問題があった。
【発明の開示】
【発明が解決しようとする課題】
【０００３】
本発明は、打栓後に栓が浮き上がるというトラブルを解消する樹脂製の栓を提供しようとする。
【課題を解決するための手段】
【０００４】
本発明の要旨とするところは、ビン口内壁に嵌合する嵌合壁を有する筒状の胴部と、該胴部の上部に被冠する円盤部とを含んでなる栓であって、前記嵌合壁の、前記ビン口内壁との嵌めあいが打栓された状態で最もきつくなる部位の肉厚ｔｗ（ｍｍ）が、該部位における前記嵌合壁の外径をＲ（ｍｍ）としたとき、０．０９・√Ｒ≦ｔｗ≦０．４５・√Ｒである栓であることにある。
【０００５】
また、本発明の要旨とするところは、ビン口内壁に嵌合する嵌合壁を有する筒状の胴部と、該胴部の上部に被冠する円盤部とを含んでなる栓であって、前記嵌合壁の、前記ビン口内壁との嵌めあいが打栓された状態で最もきつくなる部位の肉厚ｔｗが、０．４〜２ｍｍである栓であることにある。
【０００６】
前記栓は１．８リットルビンに適用され得る。
【発明の効果】
【０００７】
本発明の栓は、打栓後に栓が浮き上がるというトラブルを解消出来る。
【発明を実施するための最良の形態】
【０００８】
本発明に係る態様を図面に基づいて詳しく説明する。図１に示す本発明の栓２は、ビン口内壁に嵌合する嵌合壁４を有する筒状の胴部６と、胴部６の上部に被冠する円盤部１２と、円盤部１２の外側に同心円状に位置する環状把手部１０とを含んで構成される。円盤部１２の外周縁１４の一部と環状把手部の内周縁１５の一部とは、連結部１６を介して一体的に連結されている。又、外周縁１４と内周縁１５とは破断可能連結部２０を介して破断可能に一体的に連結されている。図２はビン口４２に打栓された状態の栓２のＡ−Ａ´方向の断面図である。
【０００９】
円盤部１２と環状把手部１０との間にはスリット２８、２８ａが形成されている。環状把手部１０は、径方向の厚さｔと、径方向と直角方向の幅ｗを有する。厚さｔは、例えば図１の態様においては、後述のように連結部１６の根元の部分（根元部５４）で薄くなっている。
【００１０】
開栓するときには、環状把手部１０を摘まんで上方に引き上げる。このとき、破断可能連結部２０は破断し、環状把手部１０は連結部１６で円盤部１２と連結したまま引き上げられる。これにともなって胴部６も上昇し栓２が開栓される。
【００１１】
本発明の栓２は、特にビンが標準的な１．８リットルビンの場合には、ビン口４２の内壁に嵌合する嵌合壁４（図２）のビン口内壁との嵌めあいが打栓された状態で最もきつくなる部位の厚さｔｗが０．４〜２ｍｍであると、打栓後にビン口４２から浮き上がることを防止出来る。嵌合壁４は、打栓された栓の胴部６の周壁で、その周壁の外周面とビン口４２の内周面とが接触している部分の周壁をいう。厚さｔｗが０．４ｍｍ未満であると、嵌合壁４とビン口４２との嵌合力が弱くなり好ましくない場合がある。又、打栓により嵌合壁４にシワが生じ密閉性が損なわれる場合がある。厚さｔｗが２ｍｍを超えると、嵌合壁４の剛性が過大となり、打栓のため栓を押し込んでも、押し込みにより変形した嵌合壁がもとの形に戻ろうとする反撥力で栓の浮き上がりの現象が生ずることがある。
【００１２】
通常は、胴部６は、上端根元から嵌合壁４の上端６２を経て約２〜５ｍｍ下がった部分までのあいだの部分６４が最も太くなっており、この部分６４がビン口内壁との嵌めあいが打栓された状態で最もきつくなる部位である。嵌めあいのきつさの程度は、ビン口の所定の部分の内径ｄ１と、その所定の部分に嵌合する嵌合壁４の外径ｄ２との差ｄ２−ｄ１で表される。
【００１３】
ビンが標準的な１．８リットルビンでない場合を含めて、ビン口の内径に応じて、栓の、ビン口内壁との嵌めあいが打栓された状態で最もきつくなる部位の厚さｔｗ（ｍｍ）を最適な範囲の値にすることにより、適切な嵌合力を維持しつつ栓が打栓後にビン口から浮き上がることを防止出来る。その最適な範囲は、嵌合壁とビン口内壁との嵌めあいが打栓された状態で最もきつくなる部位における、嵌合壁の外径をＲ（ｍｍ）としたとき、０．０９・√Ｒ≦ｔｗ≦０．４５・√Ｒである。
【００１４】
又、この浮き上がりは、図３（ａ）のようにビン口４２の最上部の内壁面７０が上下方向に直線的である場合には比較的起こらないが、図３（ｂ）のようにビン口４２の最上部の内壁面７０が上下方向にみて外側に彎曲して、最上部の内壁面７０が上に向けて先開きに開口している場合に生じやすい。本発明の栓２は、このような先開きに開口しているビン口に使用する場合にも浮き上がりの防止効果を発揮することが出来て好ましい。
【００１５】
本発明の栓２は、外力に対して適度に弾性変形する素材から成ることが好ましい。例えば、合成樹脂から成ることが好ましい。本発明の栓２は、樹脂を成形して例えば射出成形により製造することが出来る。素材樹脂としては、ポリエチレン系樹脂、ポリプロピレン系樹脂、塩ビ系樹脂、ポリエステル系樹脂、ポリアミド系樹脂、ポリスチレン系樹脂等が挙げられる。
【００１６】
なお、本明細書においては、各図にわたって記される同じ符号は同一又は同様の部材やものを示す。
【００１７】
以上本発明の栓の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【００１８】
例えば、図４の栓２ｂに示すように、嵌合壁４ａが上部根元のやや外径の大きい太径部１３と下端部のやや外径の小さい大きい細径部１７から成るものであってもよい。この場合、太径部１３はビン口内壁に強く嵌合し、きつい嵌めあい状態となる。又、細径部１７はビン口内壁に弱く嵌合し、ゆるい嵌めあい状態となる。
【００１９】
更に、例えば、ビン口への挿入が容易になるように、嵌合壁４ａの下端の外周縁には周方向に面取り部２１が形成されてもよい。又、細径部１７の外周面に縦方向に溝２３が、１条あるいは所定の間隔をおいて複数条形成されてもよい。溝２３は、打栓後に、ビンの内容物から発生する気体の圧力で栓２ｂが押し上げられたとき、その気体が外部に漏洩する通路を形成する。このため、溝２３は、栓２ｂが気体の圧力で吹き飛ぶことを防止する機能を有する。
【００２０】
又更に、栓の胴部（嵌合壁）の外壁面が、上方から下方にかけて円錐の周面状にゆるやかに先細になっている部分を含んでいてもよい。
【００２１】
又、図５に示す栓２ｃのように、円盤部１２ｃに、打栓されたときビン口４２の上端とのあいだに隙間５０を生じさせるような段差が周縁を一巡して設けられていてもよい。段差は、円盤部１２ｃとビン口４２の上端との接触部５２と、円盤部１２ｃの外周縁との間に設けられる。これにより、この隙間５０に栓抜きの王冠の下縁と係合する引掛部を差し入れて、栓抜きを用いた通常の栓抜き操作が可能となる。なお、この場合、その引掛部を連結部１６の真下の隙間５０に差し入れて栓抜き操作を行なえば、環状把手部１０にかかる力で破断可能連結部２０が破断して開栓の力が逃げるということなしに操作が行なわれる。更に、栓２ｃは、指の先端を環状把手部１０の下面に懸けやすいので、環状把手部１０の引き上げ操作が容易である。
【図面の簡単な説明】
【００２２】
【図１】本発明の栓の形状を示す要部斜視模式図である。
【図２】図２に示す栓の、ビン口に打栓された状態の、Ａ−Ａ´方向の断面図である。
【図３】本発明の栓が打栓されるビン口の断面形状を示し、図３（ａ）はビン口の最上部の内壁面が上下方向に直線的である場合の模式図、図３（ｂ）はビン口の最上部の内壁面が上下方向にみて外側に彎曲した状態の模式図である。
【図４】本発明の他の態様の栓の形状の一例を示す要部斜視模式図である。
【図５】本発明の更に他の態様の栓の形状の一例を示す断面図である。
【符号の説明】
【００２３】
２：本発明の栓
４：嵌合壁
６：胴部
１０：環状把手部
１２：円盤部
１６：連結部
２０：破断可能連結部
４２：ビン口
【図１】
2006315769.tif 000003
【図２】
2006315769.tif 000004
【図３】
2006315769.tif 000005
【図４】
2006315769.tif 000006
【図５】
2006315769.tif 000007